(57)【要約】【課題】被監視者の異常判断をする所定の高さ設定を容易に変更することが可能な異常検知システムを提供する。【解決手段】所定領域内の移動体画像を取得する移動体抽出部４ａと、移動体抽出部４ａによって取得される検出時間の異なる二つの移動体画像より移動体Ｂの平面方向移動量Ｉを求める平面方向移動量算出部４ｂと、移動体Ｂの奥域距離Ｈを算出する奥域距離算出部４ｃと、を備え、平面方向移動量算出部４ｂより取得した平面方向移動量Ｉと予め設定されている平面方向移動量閾値ｉとの比較を行い、奥域距離算出部４ｃより取得した移動体Ｂの奥域距離Ｈと予め設定されている奥域距離閾値ｈとの比較を行い、移動体が静止状態であるか否かの判断を行う距離判断部５ａと、距離判断部５ａより静止状態である旨の信号を受信して予め設定されている時間閾値ｔを越えても当該信号を受信している場合に異常であるとの判断を行う時間判断部５ｂと、を備えた。【選択図】図１
2008052631.tif 000002
【特許請求の範囲】
【請求項１】
所定領域の平面画像を撮像する撮像装置と、撮像された画像データを記憶するメモリ部と、画像データの処理を行う信号処理部と、平面画像内の移動体の異常を判断する異常判断部と、を備えた異常検知システムにおいて、信号処理部は、前記所定領域内の移動体画像を取得する移動体抽出部と、移動体抽出部によって取得される検出時間の異なる二つの移動体画像より移動体の平面方向の移動量を求める平面方向移動量算出部と、移動体抽出部より移動体の位置を取得し当該位置における移動体の奥域距離を算出する奥域距離算出部と、を備え、異常判断部は、平面方向移動量算出部より取得した平面方向移動量と予め設定されている平面方向移動量閾値との比較を行い、奥域距離算出部より取得した移動体の奥域距離と予め設定されている奥域距離閾値との比較を行い、これらの比較結果に基づいて移動体が静止状態であるか否かの判断を行う距離判断部と、距離判断部より静止状態である旨の信号を受信して予め設定されている時間閾値を越えても当該信号を受信している場合に異常であるとの判断を行う時間判断部と、を備えるものであることを特徴とする異常検知システム。
【請求項２】
距離判断部は、平面方向移動量算出部より取得した平面方向移動量が平面方向移動量閾値を超えていない場合に平面静止状態である旨の信号を出力し、奥域距離算出部より取得した移動体の奥域距離が奥域距離閾値より大きい場合に奥域静止状態である旨の信号を出力するものであり、時間判断部は、距離判断部より平面静止状態である旨の信号を予め設定されている平面静止状態に対する時間閾値を越えて継続受信している場合、若しくは、距離判断部より奥域静止状態である旨の信号を予め設定されている奥域静止状態に対する時間閾値を越えて継続受信している場合、に異常であるとの判断を行うものであることを特徴とする請求項１記載の異常検知システム。
【請求項３】
信号処理部は、撮像される所定領域を複数の検知領域に分割設定し、移動体の存在する検知領域の特定を行う検知領域判断部を有し、異常判断部は、各検知領域に応じた平面方向移動量閾値及び奥域距離閾値を有し、移動体の存在が特定された検知領域に応じた閾値を用いた異常判断を行うことを特徴とする請求項１又は２記載の異常検知システム。
【請求項４】
異常判断部は、各検知領域に応じた時間閾値を有し、移動体の存在が特定された検知領域に応じた時間閾値を用いた異常判断を行うことを特徴とする請求項３記載の異常検知システム。
【請求項５】
異常判断部は値の変更が可能である奥域距離閾値を格納する保持テーブルを有し、奥域距離閾値の値の変更を行うユーザ設定部を有することを特徴とする請求項１乃至４のいずれか一項に記載の異常検知システム。
【発明の詳細な説明】
【技術分野】
【０００１】
本願発明は、被監視者の動作の異常を精度よく検知するために、施設部屋内に設けられる異常検知システムに関する。
【背景技術】
【０００２】
従来から、特開２００１−３０７２４６号公報（特許文献１）に示されるように、施設部屋内に設けられる異常検知システムが知られている。この異常検知システムは、図１２に示すように、撮像カメラ１００と、検知領域判断部２００と、判定処理部３００と、赤外線受光素子４００とを備えて構成される。撮像カメラ１００は、被監視者の部屋の天井に取り付けられ床面を撮像する。検知領域判断部２００は、検知領域メモリ２１０を備え、検知領域設定手段２２０で外部から設定入力された仕様に従って、撮像カメラ１００の撮像範囲を、図１３に例示するように複数の領域に分離識別し、検知領域メモリ２１０に各領域の範囲を記憶しておき、各領域での被監視者の存在および動作を、画像認識技術によって、検知する。検知領域判断部２００には、複数の領域の一種として、被監視者の部屋の床面上の寝台が存在するベッド領域Ａと、少なくともこのベッド領域Ａを除き被監視者の部屋の床面をあらわし所定の領域である床領域Ｂとを設定してある。さらに、部屋の出入り口である退出領域Ｃと、窓近くなどのように何らかの動作を検知しても意味のない領域である不感帯領域も、設定されている。
【０００３】
さらに、検知領域判断部２００は、赤外線受光素子４００による高さ方向での被監視者検知結果を基にして所定の高さでの被監視者の存在を検知する。判定処理部３００は、検知領域判断部２００での被監視者の存在および動作に関する検知結果を基にして、所定の領域内かつ所定の高さ未満の位置で、例えば被監視者が倒れている状況であるなどの所定の状態にあることを検知すると、監視者側へ異常発生の旨の発報を行なうものである。
【特許文献１】特開２００１−３０７２４６号公報
【発明の開示】
【発明が解決しようとする課題】
【０００４】
しかしながら、上記従来例である異常検知システムにあっては、被監視者の存在を検知する所定の高さの設定については、赤外線受光素子４００の設置高さとなるため、部屋の側壁に赤外線受光素子４００が一旦設置されると高さ設定を自由に変更することは困難であるという問題点があった。
【０００５】
本願発明は、上記背景技術に鑑みて発明されたものであり、その目的は、被監視者の異常判断をする所定の高さ設定を容易に変更することが可能な異常検知システムを提供することを目的とする。
【課題を解決するための手段】
【０００６】
上記課題を解決するために、本願請求項１記載の発明では、所定領域の平面画像を撮像する撮像装置と、撮像された画像データを記憶するメモリ部と、画像データの処理を行う信号処理部と、平面画像内の移動体の異常を判断する異常判断部と、を備えた異常検知システムにおいて、信号処理部は、前記所定領域内の移動体画像を取得する移動体抽出部と、移動体抽出部によって取得される検出時間の異なる二つの移動体画像より移動体の平面方向の移動量を求める平面方向移動量算出部と、移動体抽出部より移動体の位置を取得し当該位置における移動体の奥域距離を算出する奥域距離算出部と、を備え、異常判断部は、平面方向移動量算出部より取得した平面方向移動量と予め設定されている平面方向移動量閾値との比較を行い、奥域距離算出部より取得した移動体の奥域距離と予め設定されている奥域距離閾値との比較を行い、これらの比較結果に基づいて移動体が静止状態であるか否かの判断を行う距離判断部と、距離判断部より静止状態である旨の信号を受信して予め設定されている時間閾値を越えても当該信号を受信している場合に異常であるとの判断を行う時間判断部と、を備えるものであることを特徴としている。
【０００７】
本願請求項２記載の発明では、上記請求項１記載の異常検知システムにおいて、距離判断部は、平面方向移動量算出部より取得した平面方向移動量が平面方向移動量閾値を超えていない場合に平面静止状態である旨の信号を出力し、奥域距離算出部より取得した移動体の奥域距離が奥域距離閾値より大きい場合に奥域静止状態である旨の信号を出力するものであり、時間判断部は、距離判断部より平面静止状態である旨の信号を予め設定されている平面静止状態に対する時間閾値を越えて継続受信している場合、若しくは、距離判断部より奥域静止状態である旨の信号を予め設定されている奥域静止状態に対する時間閾値を越えて継続受信している場合、に異常であるとの判断を行うものであることを特徴としている。
【０００８】
本願請求項３記載の発明では、上記請求項１又は２記載の異常検知システムにおいて、信号処理部は、撮像される所定領域を複数の検知領域に分割設定し、移動体の存在する検知領域の特定を行う検知領域判断部を有し、異常判断部は、各検知領域に応じた平面方向移動量閾値及び奥域距離閾値を有し、移動体の存在が特定された検知領域に応じた閾値を用いた異常判断を行うことを特徴としている。
【０００９】
本願請求項４記載の発明では、上記請求項３記載の異常検知システムにおいて、異常判断部は、各検知領域に応じた時間閾値を有し、移動体の存在が特定された検知領域に応じた時間閾値を用いた異常判断を行うことを特徴としている。
【００１０】
本願請求項５記載の発明では、上記請求項１乃至４のいずれか一項に記載の異常検知システムにおいて、異常判断部は値の変更が可能である奥域距離閾値を格納する保持テーブルを有し、奥域距離閾値の値の変更を行うユーザ設定部を有することを特徴としている。
【発明の効果】
【００１１】
本願請求項１記載の発明の異常検知システムにおいては、被監視者の奥域方向の検知を、撮像した平面画像の移動体の位置より撮像カメラからの奥域距離を算出することによって行うため、異常判断する閾値を変更することで検知する奥域距離設定が変更できるので、被監視者の異常判断をする所定の奥域設定、すなわち検知する高さ設定を容易に変更することが可能である。しかも、部屋の天井に撮像カメラを設置することによってシステム構築ができるので新たな高さ方向を検知するセンサが不要となり施工性の自由度が高くなる。
【００１２】
本願請求項２記載の発明の異常検知システムにおいては、特に、平面方向の移動量と奥域方向の移動量をそれぞれ別個の時間閾値を用いて異常判断することによって、被監視者の様々な異常パターンに対応した検知を行うことが可能となる。
【００１３】
本願請求項３記載の発明の異常検知システムにおいては、特に、移動体の平面方向移動量閾値及び奥域距離閾値について、撮像される所定領域を複数の検知領域に分割設定し、各検知領域に応じたそれぞれの閾値を有することによって、部屋の各検知領域における移動体の適切な移動量設定が可能となり、異常検知判断の性能を向上させることが可能となる。
【００１４】
本願請求項４記載の発明の異常検知システムにおいては、特に、撮像される所定領域を複数の検知領域に分割設定し、各検知領域に対して異常判断を行う時間閾値を有することによって、部屋の各検知領域における移動体の静止状態の適切な静止継続時間設定が可能となり、異常検知判断の性能を向上させることが可能となる。
【００１５】
本願請求項５記載の発明の異常検知システムにおいては、特に、奥域距離閾値の値の変更を可能にすることで、様々な部屋の形状、ユーザの体型や部屋の使用形態等に応じた対応が可能であり、施工後の変更も容易である。
【発明を実施するための最良の形態】
【００１６】
図１〜７は、本願発明の第１の実施形態である異常検知システムを示している。図１に示すように、所定領域の平面画像を撮像する撮像カメラ１と、撮像カメラ１からの入力信号を画像データに変換するＡ／Ｄ変換部２と、で構成されている撮像装置と、画像データを記憶するメモリ部３と、画像データの処理を行う信号処理部４と、平面画像内の移動体Ｂの異常を判断する異常判断部５と、を備えた異常検知システムＡにおいて、信号処理部４は、前記所定領域内の移動体画像を取得する移動体抽出部４ａと、移動体抽出部４ａによって取得される検出時間の異なる二つの移動体画像より移動体Ｂの平面方向移動量Ｉを求める平面方向移動量算出部４ｂと、移動体抽出部４ａより移動体Ｂの位置を取得し当該位置における移動体Ｂの奥域距離Ｈを算出する奥域距離算出部４ｃと、を備え、異常判断部５は、平面方向移動量算出部４ｂより取得した平面方向移動量Ｉと予め設定されている平面方向移動量閾値ｉとの比較を行い、奥域距離算出部４ｃより取得した移動体Ｂの奥域距離Ｈと予め設定されている奥域距離閾値ｈとの比較を行い、これらの比較結果に基づいて移動体が静止状態であるか否かの判断を行う距離判断部５ａと、距離判断部５ａより静止状態である旨の信号を受信して予め設定されている時間閾値ｔを越えても当該信号を受信している場合に異常であるとの判断を行う時間判断部５ｂと、を備えるものである。
【００１７】
しかも、信号処理部４は、撮像される所定領域を複数の検知領域に分割設定し、移動体Ｂの存在する検知領域の特定を行う検知領域判断部４ｄを有し、異常判断部５は、各検知領域に対する平面方向移動量閾値ｉ及び奥域距離閾値ｈを有し、移動体Ｂの存在が特定された検知領域に応じた閾値を用いた異常判断を行う。
【００１８】
さらに、異常判断部５は、各検知領域に対する時間閾値ｔを有し、移動体Ｂの存在が特定された検知領域に応じた閾値を用いた異常判断を行うものである。
【００１９】
また、異常判断部５は値の変更が可能である奥域距離閾値ｈを格納する保持テーブル５ｃを有し、奥域距離閾値の値の変更を行うユーザ設定部８を有するものである。
【００２０】
以下、この実施形態の異常検知システムを、より具体的詳細に説明する。図１に示す例は、浴室内で入浴する人の異常を検知するシステムであり、撮像カメラ１は浴室内の天井部分に取り付けられ、下方に向かって一定の画角で撮像を行う。移動体Ｂである人物が浴室に入り、人物の画像が撮像エリア内に入ってくると、撮像カメラ１を通してＡ／Ｄ変換部２から画像データが取り込まれ、時系列の画像データがメモリ部３に格納される。
【００２１】
さらに、図３に示すように、画像データの処理を行う信号処理部４に構成されている移動体抽出部４ａによって、メモリ部３より画像データを取得し（Ｓ１００）、例えばフレーム間差分などの方法により、移動体Ｂが平面画像の中から抽出される（Ｓ１０１）。
【００２２】
ここで、浴室内の場合、浴槽内の湯から出る湯気などの動きが移動体Ｂとして抽出されてしまうことを避けるために、例えば、平面画像の中のエッジ部を抽出するなどの前処理を行い、人物以外のオブジェクトを除去する処理を行っておくことができる。
【００２３】
移動体Ｂの平面方向移動量Ｉの算出方法については、移動体抽出部４ａによって移動体Ｂの画像を画像データより抽出し（Ｓ１０１）、平面方向移動量算出部４ｂによって、図４に示すように、移動体Ｂのフレーム画像ごとの時系列データを用いて、フレーム画像ごとの移動体Ｂの重心Ｇなどを計算することにより各フレーム画像間で移動体Ｂの平面移動量Ｉを算出することによって行う（Ｓ１０３）。
【００２４】
移動体Ｂの奥域距離の算出方法については、信号処理部４に構成されている奥域距離算出部４ｃによって、まず移動体Ｂが浴室内に居ない状態での撮像された初期画像の各ピクセルについての撮像カメラとの距離を表す奥域マップを求める。ここで、奥域マップを求める手段としては、撮像カメラ１に２台のカメラで構成されるステレオカメラを用い、２台のカメラで撮像された画像の各ピクセルの対応を取り三角測量法で距離を得る画像処理を行うことによって実現できる。また、図２に示すように、対象空間で光を走査するとともに対象空間内の対象物である移動体Ｂからの反射光を受光し、三角測量法の原理を用いて移動体Ｂまでの奥域距離Ｈを求めることができる測距センサである距離画像取得部６を用いてもよい。ここで、距離画像取得部６は、図１で示した撮像カメラ１とＡ／Ｄ変換部２とメモリ部３と移動体抽出部４ａと奥域距離算出部４ｃと、同様の構成を内部に有するものである。
【００２５】
次に、撮像された画像より抽出された移動体Ｂと奥域マップとの関係により、移動体Ｂの撮像カメラ１からの奥域距離Ｈを求める（Ｓ１０５）。具体的には、先に撮像された初期画像の各ピクセルが移動体Ｂによって隠されることになり、例えば奥域距離Ｈを測定する着眼点を移動体Ｂの頭部とすれば、頭部の実際の大きさと頭部によって隠される初期画像のピクセル範囲の面積から三角測量によって、撮像カメラ１から着眼点である頭部までの奥域距離Ｈを算出することができる。このことによって、予め初期画像の各ピクセルの奥域距離Ｈを求めた奥域マップを作成しておくことによって、移動体Ｂの奥域距離Ｈは撮像される平面画像より簡易に求めることができる。
【００２６】
なお、移動体Ｂの撮像カメラ１からの奥域距離Ｈは、ステレオカメラまたは測距センサによって直接得ることもできる。
【００２７】
部屋に居る人物が異常であるか否かの状況は様々な定義が考えられるが、例えば、浴室内で座って体を洗っている正常な状態から、人物がなんらかの体調の異常により、その場の床に倒れこんで動くことができなくなった状況が挙げられる。この場合、正常な状態では奥域距離Ｈは図５に示すように、ｈ１の距離を保っているが、床に倒れこんだときは、図６に示すように、奥域距離Ｈが床面に近いｈ２のように大きな値となり、このとき平面方向移動量Ｉも一定値以下であると考えられる。
【００２８】
ここで、一定時間以上、移動体Ｂの平面方向移動量Ｉが一定量以下で、かつ高さが一定値以下すなわち撮像カメラ１から見た奥域距離Ｈが一定値以上の場合に、移動体Ｂが異常であると判断することができる。具体的には、図３に示すように、移動体Ｂの抽出が行われると（Ｓ１０１）、時間判断部５ｂでタイマーがリセットされてタイマーカウントがスタートし（Ｓ１０２）、さらに、平面方向移動量算出部４ｂによって移動体Ｂの平面方向移動量Ｉが算出される（Ｓ１０３）。この算出された平面方向移動量Ｉと予め異常判断用に保持テーブル５ｃに設定された平面方向移動量閾値ｉとの比較を距離判断部５ａで行い（Ｓ１０４）、平面方向移動量Ｉが平面方向移動量閾値ｉ以下である場合には、移動体Ｂが動いていない可能性があるとして、次の異常判断のステップに移る。次に、奥域距離算出部４ｃによって移動体Ｂの奥域距離Ｈが算出される（Ｓ１０５）。この算出された奥域距離Ｈと予め異常判断用に保持テーブル５ｃに設定された奥域距離閾値ｈとの比較を距離判断部５ａで行い（Ｓ１０６）、奥域距離Ｈが奥域距離閾値ｈ以上である場合には、移動体Ｂが倒れこんでいる可能性があるとして、時間判断部５ｂに対して静止状態である旨の信号を出力する。次に、時間判断部５ｂによって、保持テーブル５ｃに予め設定されている時間閾値ｔを越えても当該信号を受信している場合に異常であるとの判断を行い（Ｓ１０７）、異常事態出力部７より発報される（Ｓ１０８）。この発報は、例えば、音声での声がけ、アラーム警報出力、ランプ点灯など様々な形態を用いることが可能である。
【００２９】
さらに、浴室のような空間において、人物の動作は、身体を洗う、頭髪を洗う、浴槽に浸かるなどと浴室の位置によって様々な形態を取る。また、当該システムを利用するユーザによっては身体の動作の速度や、浴槽内での静止時間など、浴室内での行動には個人差がある。そのため、平面方向移動量閾値ｉ、奥域距離閾値ｈ及び時間閾値ｔを移動体Ｂの存在位置及び各ユーザに応じた設定を可能とすることによって、移動体Ｂの様々な存在位置に応じた異常判断基準を設定することが必要である。
【００３０】
例えば、図７に示すような浴室の場合においては、浴槽の領域と洗い場の領域とドア近傍の領域によって人物の動作が異なると考えられるため、検知領域α、β、γの３つの検知領域に分割する。それぞれの検知領域に対して、平面方向移動量閾値ｉ−α、ｉ−β、ｉ−γ、奥域距離閾値ｈ−α、ｈ−β、ｈ−γ、静止状態に対する時間閾値ｔ−α、ｔ−β、ｔ−γを設定することができ、それぞれの設定値は保持テーブル５ｃに格納される。ここで、分割設定される検知領域は、平面方向移動量、奥域距離、静止時間それぞれに対して別個に分割設定することもできる。さらに、信号処理部４の検知領域判断部４ｄによって移動体Ｂが現在いずれの検知領域に位置しているかを判断し、当該検知領域の情報を保持テーブル５ｃに送信し、距離判断部５ａ及び時間判断部５ｂで用いる各閾値を該当する検知領域に応じて変更される。
【００３１】
さらに、保持テーブル５ｃに設定されている平行移動量閾値ｉ、奥域距離閾値ｈ及び時間閾値ｔはユーザ設定部８によって予め各ユーザの固有の閾値を設定することが可能であり、自由に値の変更を行うことも可能である。異常検知システムＡには通信インターフェイスを備えることも可能であり、ユーザ設定部８は、例えば、ノートパソコンや専用のタッチパネル式のモニタ機器等で構成し、平行移動量閾値ｉ、奥域距離閾値ｈ及び時間閾値ｔの値の設定、変更をノートパソコンのキーボードやモニタ機器等のタッチパネルによって入力操作、値の確認ができる。
【００３２】
また、心拍センサなどの生体センサ９と連動させることによって、生体センサ９が正常な値を取得している場合には、異常判断条件を変更したり、異常と判断させない制御を行うことによって、誤検知を低減することもできる。
【００３３】
したがって、この実施形態の異常検知システムにおいては、被監視者の奥域方向の検知を、撮像した平面画像の移動体Ｂの位置より撮像カメラ１からの奥域距離Ｈを算出することによって行うため、異常判断する奥域距離閾値ｈを変更することで検知する奥域距離設定が変更できるので、被監視者の異常判断をする所定の奥域設定、すなわち検知する高さ設定を容易に変更することが可能である。しかも、部屋の天井に撮像カメラ１を設置することによってシステム構築ができるので新たな高さ方向を検知するセンサが不要となり施工性の自由度が高くなる。
【００３４】
さらに、移動体Ｂの平面方向移動量閾値ｉ及び奥域距離閾値ｈについて、撮像される所定領域を複数の検知領域に分割設定し、各検知領域に対してそれぞれの閾値を有することによって、部屋の各検知領域における移動体Ｂの適切な移動量設定が可能となり、異常検知判断の性能を向上させることが可能となる。
【００３５】
また、撮像される所定領域を複数の検知領域に分割設定し、各検知領域に対して異常判断を行う時間閾値ｔを有することによって、部屋の各領域の移動体の静止状態の適切な継続時間設定が可能となり、異常検知判断の性能を向上させることが可能となる。
【００３６】
しかも、異常判断に用いられる平行移動量閾値ｉ、奥域距離閾値ｈ及び時間閾値ｔの値をユーザ毎に設定することができ、さらに値の変更を可能にすることで、様々な部屋の形状、ユーザの体型や部屋の使用形態等に応じた対応が可能であり、施工後の変更も容易である。
【００３７】
本実施形態では、浴室に設置されている場合について説明しているが、これに限定されるものではなく、トイレ、脱衣所、その他の部屋に適用してもよい。また、この異常検知システムＡは奥域情報と平面情報を同時に扱うため、撮像カメラ１は壁面に取り付け、横方向に撮影するシステムとしてもよい。この場合、移動体Bの平面方向の移動量は撮像カメラ１からの奥域距離Hによって算出することができ、移動体Bの高さ方向の移動量は平面方向移動量Iによって算出することができるため、天井に設置した異常検知システムAと同様の構成によって実現することができる。
【００３８】
図８〜１１は、本願発明の第２の実施形態である異常検知システムを示している。ここでは、上記第１の実施形態と相違する事項についてのみ説明し、その他の事項（構成、作用効果等）については、上記第１の実施形態と同様であるのでその説明を省略する。図８に示すように、距離判断部５ａは、平面方向移動量算出部４ｂより取得した平面方向移動量Ｉと予め設定されている平面方向移動量閾値ｉとの比較により平面方向移動量Ｉが平面方向移動量閾値ｉを超えていない場合に平面静止状態である旨の信号を出力し、奥域距離算出部４ｃより取得した移動体Ｂの奥域距離Ｈと予め設定されている奥域距離閾値ｈとの比較により移動体Ｂの奥域距離Ｈが奥域距離閾値ｈより大きい場合に奥域静止状態である旨の信号を出力するものであり、時間判断部５ｂは、距離判断部５ａより平面静止状態である旨の信号を予め設定されている平面静止状態に対する時間閾値ｔ１を越えて継続受信している場合、若しくは、距離判断部５ａより奥域静止状態である旨の信号を予め設定されている奥域静止状態に対する時間閾値ｔ２を越えて継続受信している場合、に異常であるとの判断を行うものである。
【００３９】
以下、この実施形態の異常検知システムを、より具体的詳細に説明する。部屋に居る人物が異常であるか否かの状況は様々な定義が考えられるため、平面移動距離Ｉと奥域距離Ｈの両方の異常判断条件が揃った場合に異常であるとの判断を行うことが適切で無い場合もある。そこで、平面方向移動量Ｉと奥域距離Ｈのそれぞれに対して個別に静止時間判断の条件を設定することによって、様々な状況の異常状態に対応する判断が可能となる。
【００４０】
具体的には、図９に示すように、移動体Ｂの抽出を行った（Ｓ２０１）後に、平面方向移動量Ｉと奥域距離Ｈのそれぞれに対するタイマーのリセットを行なう（Ｓ２０２、Ｓ２０３）。その後、平面方向移動量Ｉと保持テーブル５ｃに予め異常判断用に設定された平面方向移動量閾値ｉとの比較を距離判断部５ａで行い（Ｓ２０６）、平面方向移動量Ｉが平面方向移動量閾値ｉ以下の状態が保持テーブル５ｃに予め設定されている時間閾値ｔ１以上継続している場合に、異常であると判断し（Ｓ２０８）異常事態出力部７より発報される（Ｓ２１０）。また、図１０はこの異常判断を行う場合における平面方向移動量Ｉの変化を時間経過で表したものである。移動体Ｂが入室して倒れるまでの間（Ｗ１）は、平面方向移動量Ｉは平面方向移動量閾値ｉより小さい値となる継続時間が時間閾値ｔ１より短い時間となっているため異常ではないとの判断がされる。移動体Ｂが倒れるなどして平面方向移動量Ｉが平面方向移動量閾値ｉより小さい値が時間閾値ｔ１の間継続した場合（Ｗ１１）には、異常と判断されることとなる。
【００４１】
同様に、奥域距離Ｈと保持テーブル５ｃに予め異常判断用に設定された奥域距離閾値ｈとの比較を距離判断部５ａで行い（Ｓ２０７）、奥域距離Ｈが奥域距離閾値ｈ以上の状態が保持テーブル５ｃに予め設定されている時間閾値ｔ２以上継続している場合に、異常であると判断し（Ｓ２０９）異常事態出力部７より発報される（Ｓ２１１）。また、図１１はこの異常判断を行う場合における奥域距離Ｈの変化を時間経過で表したものである。移動体Ｂが入室して倒れるまでの間（Ｗ２）は、奥域距離Ｈは奥域距離閾値ｈより大きい値となる継続時間が時間閾値ｔ２より短い時間となっているため異常ではないとの判断がされる。移動体Ｂが倒れるなどして奥域距離Ｈが奥域距離閾値ｈより大きい値が時間閾値ｔ２の間継続した場合（Ｗ２１）には、異常と判断されることとなる。
【００４２】
なお、検知領域の分割設定を行った場合については、例えば、検知領域α、β、γの３つの検知領域に分割設定した場合、特に時間閾値ｔ１、ｔ２について、平面静止状態に対する時間閾値ｔ１−α、ｔ１−β、ｔ１−γ、及び奥域静止状態に対する時間閾値ｔ２−α、ｔ２−β、ｔ２−γが設定されることとなる。
【００４３】
したがって、この実施形態の異常検知システムにおいては、平面方向移動量Ｉと奥域距離Ｈをそれぞれ別個に設定されている平面静止状態に対する時間閾値ｔ１及び奥域静止状態に対する時間閾値ｔ２を用いて異常判断することによって、被監視者の様々な異常パターンに対応した検知を行うことが可能となる。
【図面の簡単な説明】
【００４４】
【図１】本願発明の第１の実施形態である異常検知システムの全体システム構成図である。
【図２】同異常検知システムにおける距離画像取得部６を用いた場合のシステム構成図である。
【図３】同異常検知システムにおける異常判断フローをあらわすフローチャートである。
【図４】同異常検知システムにおける平面方向移動量算出部４ｂによって移動体Ｂの平面方向移動量Ｉの算出を説明する天井からみてあらわした平面図である。
【図５】同異常検知システムにおける正常時の移動体Ｂの奥域距離Ｈをあらわす説明図である。
【図６】同異常検知システムにおける異常発生時の移動体Ｂの奥域距離Ｈをあらわす説明図である。
【図７】同異常検知システムの撮像カメラ１の撮像範囲を複数の領域に分離識別し各領域を天井からみてあらわした平面図である。
【図８】本願発明の第２の実施形態である異常検知システムの全体システム構成図である。
【図９】同異常検知システムにおける異常判断フローをあらわすフローチャートである。
【図１０】同異常検知システムにおける平面方向移動量Ｉによる異常判断を行う場合の平面方向移動量Ｉの変化を時間経過であらわした説明図である。
【図１１】同異常検知システムにおける奥域距離Ｈによる異常判断を行う場合の奥域距離Ｈの変化を時間経過であらわした説明図である。
【図１２】従来例である異常検知システムの全体システム構成図である。
【図１３】同異常検知システムの撮像カメラ１００の撮像範囲を複数の領域に分離識別し各領域を天井からみてあらわした平面図である。
【符号の説明】
【００４５】
Ａ  異常検知システム
Ｂ  移動体
１  撮像カメラ
２  Ａ／Ｄ変換部
３  メモリ部
４  信号処理部
４ａ  移動体抽出部
４ｂ  平面方向移動量算出部
４ｃ  奥域距離算出部
４ｄ  検知領域判断部
５  異常判断部
５ａ  距離判断部
５ｂ  時間判断部
５ｃ  保持テーブル
６  距離画像取得部
７  異常事態出力部
８  ユーザ設定部
９  生体センサ
【図１】
2008052631.tif 000003
【図２】
2008052631.tif 000004
【図３】
2008052631.tif 000005
【図４】
2008052631.tif 000006
【図５】
2008052631.tif 000007
【図６】
2008052631.tif 000008
【図７】
2008052631.tif 000009
【図８】
2008052631.tif 000010
【図９】
2008052631.tif 000011
【図１０】
2008052631.tif 000012
【図１１】
2008052631.tif 000013
【図１２】
2008052631.tif 000014
【図１３】
2008052631.tif 000015